(57)【特許請求の範囲】
【請求項１】
ベース芯材と、補助ベース材と、複数の人工まつ毛とからなり、前記ベース芯材の外周面にカバー素材を一重に巻きつけてカバーリング加工が施されたカバーリングベース芯材と前記補助ベース材を平行に配列し、前記人工まつ毛の一端を前記カバーリングベース芯材の外周面に貼着させ、かつ、前記人工まつ毛を前記補助ベース材の外周面に貼着させ、前記人工まつ毛を前記カバーリングベース芯材と前記補助ベース材との両方に支持させて形成されていることを特徴とするフリーデザインブリッジ型つけまつ毛。
【請求項２】
ベース芯材と、補助ベース材と、複数の人工まつ毛とからなり、前記ベース芯材の外周面にベース芯材の外周面に複数のカバー素材を片撚りした鞘糸を下巻きと上巻きに二重に巻きつけてカバーリング加工が施されたカバーリングベース芯材と前記補助ベース材を平行に配列し、前記人工まつ毛の一端を前記カバーリングベース芯材の外周面に貼着させ、かつ、前記人工まつ毛を前記補助ベース材の外周面に貼着させ、前記人工まつ毛を前記カバーリングベース芯材と前記補助ベース材との両方に支持させて形成されていることを特徴とするフリーデザインブリッジ型つけまつ毛。
【請求項３】
ベース芯材と、補助ベース材と、複数の人工まつ毛とからなり、前記ベース芯材の外周面に複数のカバー素材を平行に整列させた平鞘糸を、下巻きと上巻きに二重に巻きつけてカバーリング加工が施されたカバーリングベース芯材と前記補助ベース材を平行に配列し、前記人工まつ毛の一端を前記カバーリングベース芯材の外周面に貼着させ、かつ、前記人工まつ毛を前記補助ベース材の外周面に貼着させ、前記人工まつ毛を前記カバーリングベース芯材と前記補助ベース材との両方に支持させて形成されていることを特徴とするフリーデザインブリッジ型つけまつ毛。
【請求項４】
ベース芯材と、補助ベース材と、複数の人工まつ毛とからなり、前記ベース芯材の外周面にカバー素材で覆うように間隔をあけながら、時計回り（又は反時計回り）に下巻きと、反時計回り（又は時計回り）に上巻きに、時計回りと反時計回りの巻き方を交互にＸ字状に複数巻きつけてカバーリング加工が施されたカバーリングベース芯材と前記補助ベース材を平行に配列し、前記人工まつ毛の一端を前記カバーリングベース芯材の外周面に貼着させ、かつ、前記人工まつ毛を前記補助ベース材の外周面に貼着させ、前記人工まつ毛を前記カバーリングベース芯材と前記補助ベース材との両方に支持させて形成されていることを特徴とするフリーデザインブリッジ型つけまつ毛。
【請求項５】
請求項１に記載のフリーデザインブリッジ型つけまつ毛において、補助ベース材の外周面にカバー素材を一重に巻きつけてカバーリング加工が施されたカバーリング補助ベース材で形成されていることを特徴とするフリーデザインブリッジ型つけまつ毛。
【請求項６】
請求項２に記載のフリーデザインブリッジ型つけまつ毛において、補助ベース材の外周面に複数のカバー素材を片撚りした鞘糸を下巻きと上巻きに二重に巻きつけてカバーリング加工が施されたカバーリング補助ベース材で形成されていることを特徴とするフリーデザインブリッジ型つけまつ毛。
【請求項７】
請求項３に記載のフリーデザインブリッジ型つけまつ毛において、補助ベース材の外周面に複数のカバー素材を平行に整列させた平鞘糸を、下巻きと上巻きに二重に巻きつけてカバーリング加工が施されたカバーリング補助ベース材で形成されていることを特徴とするフリーデザインブリッジ型つけまつ毛。
【請求項８】
請求項４に記載のフリーデザインブリッジ型つけまつ毛において、補助ベース材の外周面にカバー素材で覆うように間隔をあけながら、時計回り（又は反時計回り）に下巻きと、反時計回り（又は時計回り）に上巻きに、時計回りと反時計回りの巻き方を交互にＸ字状に複数巻きつけてカバーリング加工が施されたカバーリング補助ベース材で形成されていることを特徴とするフリーデザインブリッジ型つけまつ毛。
【請求項９】
請求項１から請求項８までのいずれか一つに記載のフリーデザインブリッジ型つけまつ毛において、ベース芯材と補助ベース材とカバー素材がポリウレタン弾性繊維を材料とすることを特徴とするフリーデザインブリッジ型つけまつ毛。
【請求項１０】
請求項１から請求項８までのいずれか一つに記載のフリーデザインブリッジ型つけまつ毛において、ベース芯材と補助ベース材とカバー素材が人工合成クモ糸を材料とすることを特徴とするフリーデザインブリッジ型つけまつ毛。
【発明の詳細な説明】
【技術分野】
【０００１】  本発明は、上まぶたの生えまつ毛を利用してそれに掛け渡して増毛する形式のフリーデザインブリッジ型つけまつ毛とその製造方法に関するものである。
【背景技術】
【０００２】  従来、上まぶたの生えまつ毛を利用し、それに独立型の人工まつ毛を一本ずつ継ぎ足して増毛する施術形態としてまつ毛エクステンションが知られている（特許文献１参照）。生えまつ毛に人工まつ毛を貼着させることで生えまつ毛を太く、又は長く見せることにより視覚的に増毛を行っている。【０００３】  また、極薄のベースの表面側に１本ずつ人工まつ毛を植毛して配列し、裏面側には粘着テープを有するつけまつ毛を予め制作し、粘着テープによりつけまつ毛を上まぶたに装着する方法も知られている（特許文献２参照）。【０００４】  さらに、生えまつ毛に接着する取り付けのベースとなる縁部材を細い線状に形成し、縁部材の両端に主毛材を屈折して連設してなるＵ字形の増毛基材と、主毛材の間に配列され縁部材に接続される複数の副毛材とからなり、増毛基材および副毛材がそれぞれ軽量な素材により成形されているブリッジ型つけまつげが知られている（特許文献３参照）。
【先行技術文献】
【特許文献】
【０００５】
【特許文献１】特開平１０−１８３４１５号公報
【特許文献２】特開２０１２−４６８５２号公報
【特許文献３】特開２０１３−４４０６４号公報
【発明の概要】
【発明が解決しようとする課題】
【０００６】  上まぶたの生えまつ毛が乏しい人、特に病中・病後において薬物の副作用が見られる患者は目の縁に生えまつ毛が少しだけランダムに生えている場合、間がすいて疎未だ寂しさが残るので見た目の問題がある。また、複数本の独立型のつけまつ毛を装着する際に施術者の熟練度が低い場合、仕上がりの美観が劣り、６０〜９０分の長時間に亘って施術時間を必要とするので施術を受ける者に負担になることがある。また、つけまつ毛を生えまつ毛に貼着する際に、施術時に使用する施術用接着剤を大量に長時間使用する事は人体に悪影響を及ぼす可能性が高い。【０００７】  まつ毛エクステンションで使用される施術用接着剤のほとんどが「シアノアクリレート系接着剤」と呼ばれる接着剤である。シアノアクリレート系接着剤とは、空気中の水分にふれると化学反応が起こり、硬化速度が速く、硬化後の硬度が高く、接着がはずれにくい接着剤である。【０００８】  しかし、化学反応に伴って、硬化中のシアノアクリレートから微量のホルムアルデヒドが放出される。ホルムアルデヒドは有機化合物の一種で、粘膜への刺激性があり、蒸気は呼吸器・目・のどの炎症を誘発する。アレルギーを持っている者は、まぶたの皮膚のかぶれ、赤味、結膜の充血などのトラブルを引き起こす場合がある。したがって、施術用の接着剤の使用量を極力低減させる必要がある。【０００９】  極薄のベースの裏面側に粘着テープを有するつけまつ毛は、上まぶたの動きにより粘着力が低下するとともに、貼着している持続期間も低下し、洗顔や涙により水分がテープ部に浸入し容易に離脱し易い恐れがある。また、皮膚が敏感な人は粘着テープ剤の刺激により皮膚の炎症や皮膚がひきつることが考えられる。【００１０】  従来のブリッジ型つけまつ毛は、製造工程が煩雑で工業的に大量生産が容易でない。また、つけまつ毛を生えまつ毛に貼着する施術作業も熟練を要するため、他のつけまつ毛タイプに比較しコスト高となっている。さらに、ベースとなる縁部材に弾性力がなく生えまつ毛の成長を妨げてしまうこともある。【００１１】  本発明は、上記欠点を解消するため、つけまつ毛の製造工程を簡略化して工業的に大量生産ができ、かつ、つけまつ毛の装着作業は、高度に習熟した施術者でなくても、生えまつげに容易・迅速・正確に装着することを目的とする。また、視覚的にもアイライン効果をもち、少ない生えまつ毛の人にとっても、つけまつ毛を違和感なく装着することができるフリーデザインブリッジ型つけまつ毛を提供するものである。【００１２】  糸の伸縮性に優れ、ゴムより軽く、ストレッチ効果のある繊維で、ポリウレタン弾性繊維（例えばスパンデックス）が知られている。このポリウレタン弾性繊維を素材として利用することにより、一定の弾力性を保持しながら形態が安定性するため、生えまつげが伸びてきても、生えまつ毛が容易に脱毛する恐れもなくなり装着期間が延長され、生えまつ毛に対する負担も軽減される。【００１３】  また、ポリウレタン弾性繊維に替えて新素材の人工合成クモ糸を使用してもよい。人工合成クモ糸は、タンパク質を原料とする脱石油の新素材として注目され、鋼鉄よりも高い強度とナイロンのような高い伸度を兼ね備え、３００℃まで耐える耐熱性を有��、世界でもっとも強靭な次世代のスーパー繊維といわれている。代表的なものに「ＱＭＯＮＯＳ（登録商標）」がある。【００１４】  製造工程においてフリーデザインブリッジ型つけまつ毛を製造する際に使用する製造用接着剤の使用量は、従来のブリッジ型つけまつげより少量で済むため、自然乾燥により約１５分で完全に硬化し、生えまつ毛にフリーデザインブリッジ型つけまつ毛を貼着する際に使用する施術用接着剤の使用量は、従来のまつ毛エクステンション（特許文献１参照）に比べて１０分の１以下に抑えることが可能になる。したがって、施術時間も約６分の１に軽減できる為、人体への悪影響はほぼ皆無である。
【課題を解決するための手段】
【００１５】  本発明は、糸の伸縮性に優れ、ゴムより軽く、ストレッチ効果のある繊維で、ポリウレタン弾性繊維（例えばスパンデックス）を素材として利用したものである。さらに、ポリウレタン弾性繊維に替えて人工合成クモ糸を使用することにより、ナイロンを上回る強靭性と伸縮性を持つ素材も利用している。芯糸を延伸した外周面にカバー素材、鞘糸、又は平鞘糸を巻きつけてカバーリング加工された形態も利用している。【００１６】
本発明のフリーデザインブリッジ型つけまつ毛は、ベース芯材と、補助ベース材と、複数の人工まつ毛とからなり、前記ベース芯材と前記補助ベース材は、共にポリウレタン弾性繊維からなる糸を材料とするものであって、前記ベース芯材と前記補助ベース材を平行に配列し、前記人工まつ毛の一端を前記ベース芯材の外周面に貼着させ、かつ、前記人工まつ毛を前記補助ベース材の外周面に貼着させ、前記人工まつ毛を前記ベース芯材と前記補助ベース材との両方に支持させて形成されていることを特徴としている。
【００１７】
また、前述に記載のフリーデザインブリッジ型つけまつ毛において、ポリウレタン弾性繊維からなるベース芯材の糸の直径が０．１ｍｍ以下で、かつ、ポリウレタン弾性繊維からなる補助ベース材の糸の直径が０．０１ｍｍ以下であることを特徴としている。
【００１８】
請求項１記載のフリーデザインブリッジ型つけまつ毛は、ベース芯材と、補助ベース材と、複数の人工まつ毛とからなり、前記ベース芯材の外周面にカバー素材を一重に巻きつけてカバーリング加工が施されたカバーリングベース芯材と前記補助ベース材を平行に配列し、前記人工まつ毛の一端を前記カバーリングベース芯材の外周面に貼着させ、かつ、前記人工まつ毛を前記補助ベース材の外周面に貼着させ、前記人工まつ毛を前記カバーリングベース芯材と前記補助ベース材との両方に支持させて形成されていることを特徴としている。
【００１９】
請求項２記載のフリーデザインブリッジ型つけまつ毛は、ベース芯材と、補助ベース材と、複数の人工まつ毛とからなり、前記ベース芯材の外周面にベース芯材の外周面に複数のカバー素材を片撚りした鞘糸を下巻きと上巻きに二重に巻きつけてカバーリング加工が施されたカバーリングベース芯材と前記補助ベース材を平行に配列し、前記人工まつ毛の一端を前記カバーリングベース芯材の外周面に貼着させ、かつ、前記人工まつ毛を前記補助ベース材の外周面に貼着させ、前記人工まつ毛を前記カバーリングベース芯材と前記補助ベース材との両方に支持させて形成されていることを特徴としている。
【００２０】
請求項３記載のフリーデザインブリッジ型つけまつ毛は、ベース芯材と、補助ベース材と、複数の人工まつ毛とからなり、前記ベース芯材の外周面に複数のカバー素材を平行に整列させた平鞘糸を、下巻きと上巻きに二重に巻きつけてカバーリング加工が施されたカバーリングベース芯材と前記補助ベース材を平行に配列し、前記人工まつ毛の一端を前記カバーリングベース芯材の外周面に貼着させ、かつ、前記人工まつ毛を前記補助ベース材の外周面に貼着させ、前記人工まつ毛を前記カバーリングベース芯材と前記補助ベース材との両方に支持させて形成されていることを特徴としている。
【００２１】
請求項４記載のフリーデザインブリッジ型つけまつ毛は、ベース芯材と、補助ベース材と、複数の人工まつ毛とからなり、前記ベース芯材の外周面にカバー素材で覆うように間隔をあけながら、時計回り（又は反時計回り）に下巻きと、反時計回り（又は時計回り）に上巻きに、時計回りと反時計回りの巻き方を交互にＸ字状に複数巻きつけてカバーリング加工が施されたカバーリングベース芯材と前記補助ベース材を平行に配列し、前記人工まつ毛の一端を前記カバーリングベース芯材の外周面に貼着させ、かつ、前記人工まつ毛を前記補助ベース材の外周面に貼着させ、前記人工まつ毛を前記カバーリングベース芯材と前記補助ベース材との両方に支持させて形成されていることを特徴としている。
【００２２】
請求項５は、請求項１に記載のフリーデザインブリッジ型つけまつ毛において、補助ベース材の外周面にカバー素材を一重に巻きつけてカバーリング加工が施されたカバーリング補助ベース材で形成されていることを特徴としている。
【００２３】
請求項６は、請求項２に記載のフリーデザインブリッジ型つけまつ毛において、補助ベース材の外周面に複数のカバー素材を片撚りした鞘糸を下巻きと上巻きに二重に巻きつけてカバーリング加工が施されたカバーリング補助ベース材で形成されていることを特徴としている。
【００２４】
請求項７は、請求項３に記載のフリーデザインブリッジ型つけまつ毛において、補助ベース材の外周面に複数のカバー素材を平行に整列させた平鞘糸を、下巻きと上巻きに二重に巻きつけてカバーリング加工が施されたカバーリング補助ベース材で形成されていることを特徴としている。
【００２５】
請求項８は、請求項４に記載のフリーデザインブリッジ型つけまつ毛において、補助ベース材の外周面にカバー素材で覆うように間隔をあけながら、時計回り（又は反時計回り）に下巻きと、反時計回り（又は時計回り）に上巻きに、時計回りと反時計回りの巻き方を交互にＸ字状に複数巻きつけてカバーリング加工が施されたカバーリング補助ベース材で形成されていることを特徴としている。
【００２６】
請求項９は、請求項１から請求項８までのいずれか一つに記載のフリーデザインブリッジ型つけまつ毛において、ベース芯材と補助ベース材とカバー素材がポリウレタン弾性繊維を材料とすることを特徴としている。
【００２７】
さらに、本発明は、段落番号００１６及び段落番号００１７に記載のフリーデザインブリッジ型つけまつ毛において、ポリウレタン弾性繊維を材料とするベース芯材と補助ベース材が人工合成クモ糸を材料とすることを特徴としている。
【００２８】
請求項１０は、請求項１から請求項８までのいずれか一つに記載のフリーデザインブリッジ型つけまつ毛において、ベース芯材と補助ベース材とカバー素材が人工合成クモ糸を材料とすることを特徴としている。
【００２９】
フリーデザインブリッジ型つけまつ毛の製造方法は、ベース芯材、又はカバーリングベース芯材と、補助ベース材、又はカバーリング補助ベース材の両端を引っ張り平行に配列して張架する第一工程と、人工まつ毛の一端に接着剤（例えばシリコングルー）を塗布する第二工程と、前記人工まつ毛と前記ベース芯材、又は前記カバーリングベース芯材の交点に前記接着剤を塗布し、さらに、前記人工まつ毛と前記補助ベース材、又は前記カバーリング補助ベース材の交点に前記接着剤を塗布して前記人工まつ毛を貼着する第三工程と、目頭から目尻までの長さに合わせて切断し、前記接着剤を自然乾燥させて硬化する第四工程からなることを特徴としている。
【００３０】
フリーデザインブリッジ型つけまつ毛の装着方法は、前記フリーデザインブリッジ型つけまつ毛と生えまつ毛に、人工まつ毛の外周面に接着剤を塗布したものを重ね合せ貼着することを特徴としている。
【００３１】
一般的に上まぶたの生えまつ毛は４層から５層で構成されるが、生えまつ毛第２層に対してフリーデザインブリッジ型つけまつ毛を貼着する。
フリーデザインブリッジ型つけまつ毛の具体的な装着方法は、生えまつ毛第１層から第５層の全てを第一保護テープで上まぶたに貼るステップと、前記第一保護テープで貼られた生えまつ毛第１層から第５層の生えまつ毛から、ピンセットで生えまつげ第１層を引き出し、下まぶた側に第二保護テープで貼るステップと、数本の生えまつ毛第２層をピンセットで引き出すステップと、両端を折り返した第三保護テープの両端の粘着部を、生えまつ毛第３層から第５層を貼り付けている前記第一保護テープの表面上に貼り付けるステップと、前記フリーデザインブリッジ型つけまつ毛を裏返してから、前記第三保護テープの中央粘着部に貼り付けるステップと、複数の人工まつ毛の一端に接着剤を塗布し、生えまつ毛第２層に貼着するステップと、前記接着剤が乾燥する前に生えまつ毛第２層と前記複数の人工まつ毛を、前記フリーデザインブリッジ型つけまつ毛に全て傾倒し当接させて貼着するステップと、上まぶた及び下まぶたに貼り付けた前記第一から第三保護テープの全て剥がすステップからなることを特徴としている。
【発明の効果】
【００３２】  本発明のフリーデザインブリッジ型つけまつ毛は、ベース芯材と補助ベース材とカバー素材にポリウレタン弾性繊維を使用することにより、細く強靭、伸びの良いストレッチ性があり、構造が簡単である。製造方法が簡単で工業的に安価に大量生産が可能であり、人工まつ毛の長さ、角度、間隔を自由に配置することができるのでデザインの自由度が高い。【００３３】  ベース芯材と補助ベース材とカバー素材のポリウレタン弾性繊維を人工合成クモ糸に替えて使用することもできる。人工合成クモ糸は、ナイロンを上回る強靭性と伸縮性を持ち、着色も自在である。【００３４】  補助ベース材とベース芯材とカバー素材がカバーリング加工されている実施形態は、ソフトな肌触りであり、網目デザインにより美観が向上してアイライン効果が顕著である。また、網目状の凹凸があるため製造用接着剤が凹部に入り込み、生えまつ毛と人工まつ毛とフリーデザインブリッジ型つけまつ毛との接着強度が増す。【００３５】  細いベース芯材にカバー素材を一重に巻きつけるカバーリング加工を行う実施例は、均一な品質を確保する事は容易でなく、また、ベース芯材に回転させるトルクが与えられことになると、ベース芯材がねじれたり縮んだりして扱いにくくなってしまう場合がある。
このような場合は、カバー素材を時計回りと反時計回りの交互に下巻きと上巻きにＸ字状に多重に複数巻きつけたカバーリング加工を施すことにより、形態安定性が向上する。【００３６】  カバー素材に撚りをかけた鞘糸を二重に巻きつけたカバーリング加工を行う実施例は、下巻きと上巻きに回転方向を反対方向に（右撚と左撚）にしてトルクが消えるようにするため、ベース芯材には撚の力が入らないようにすることが可能になり、形態安定性が向上する。【００３７】  カバー素材を並列させた平鞘糸で二重に巻きつけるカバーリング加工を行う実施例は、平鞘糸の間隔をあけて巻きつけるため、平鞘糸の使用量を削減でき、ベース芯材の大部分を覆うこともでき、接着強度を向上させる凹凸部も確保される。【００３８】  フリーデザインブリッジ型つけまつ毛はベース芯材、カバーリングベース芯材、補助ベース材、カバーリング補助ベース材、人工まつ毛、製造用接着剤を準備すれば店舗においても容易に製造することができる。【００３９】  フリーデザインブリッジ型つけまつ毛は、施術方法が簡単で熟練者でなくても扱いやすく作業効率が向上する。装着時は顕著なアイライン効果があり、増毛効果の視認性があり、三次元形状で立体感がある。また、上まぶたの生えまつ毛に強固に貼着でき整然と整列させることができる。【００４０】  生えまつ毛を裏返さない装着方法の場合、粘着テープを貼らずに装着できるので施術時間短縮が図れ、貼着させながらフリーデザインブリッジ型つけまつ毛を湾曲させることが可能であるため、細やかな装着場所や湾曲の形状を微調整できる。また、生えまつ毛の第二層以外にも装着できるので、生えまつ毛の耐久性や仕上がりの美感を調整できる。【００４１】  本発明のフリーデザインブリッジ型つけまつ毛は、従来のブリッジ型つけまつ毛（特許文献３参照）に比べ、製造工程を簡略化することにより製造工程時間が短縮されているので、両目用として１セット１５分以内で完成し、安価に生産ができ、作り置きも可能である。【００４２】  施術用接着剤は、従来のまつ毛エクステンション（特許文献１参照）に比べて、使用量が１０分の１以下に抑えられるため、施術時間も６分の１以下に短縮することができる。その為、上まぶたの皮膚への影響と眼球への影響を低減する事ができ、人体への悪影響はほぼ皆無である。
製造工程と施術工程に要する時間は、合計で３０分以内と短時間であるため、作業効率の改善効果が顕著である。【００４３】  フリーデザインブリッジ型つけまつ毛の全体の長さは、任意に切断することができるので、デザインを容易に変更できることが顕著な特徴である。例えば２ｍｍから２０ｍｍ未満に切断した場合、上まぶたに部分的に装着することも可能である。このため、施術を受ける者ごとに自由なデザインを選択することが可能であり、不自然さが無く快適である。また、病中・病後の生えまつげの短い、又は生えまつ毛の量の少ない人の要望に合わせて適切なデザインで事前に製造することもでき、保管が可能であり、作業効率が極めて高い。【００４４】  デザインの自由度が高いため、ノーマル目、丸目、切れ長目のあらゆるタイプの目に合わせることができ、ベース芯材、又はベース補助材の形状を複数選択できるので、アイラインの形状も任意に選択することができ、施術を受ける者の要望に合わせて特徴ある独自の目元が作れる。
ベース芯材や補助ベース材をポリウレタン弾性繊維又は人工合成クモ糸、カバーリング加工する糸の素材をポリウレタン弾性繊維又は人工合成クモ糸とすることにより、耐水機能を有するため劣化することはほぼ皆無である。
【図面の簡単な説明】
【００４５】
【図１】（Ａ）（Ｂ）は本発明によるフリーデザインブリッジ型つけまつ毛の実施例を示す平面図である。
【図２】（Ｃ）（Ｄ）は本発明によるフリーデザインブリッジ型つけまつ毛の他の実施例を示す平面図である。
【図３】本発明によるフリーデザインブリッジ型つけまつ毛を部分的に使用する形態の実施例を示す平面図である。
【図４】一重に糸を巻きつけたカバーリング糸の模式図である。
【図５】（Ａ）は本発明に用いられる複数のカバー素材を示す平面図であり、（Ｂ）は複数のカバー素材を片撚りした例を示す平面図である。
【図６】下巻と上巻に二重に糸を巻きつけたカバーリング糸の模式図である。
【図７】本発明に用いられる複数のカバー素材を平行に並べた例を示す平面図である。
【図８】（Ａ）は鞘糸を下巻と上巻に二重に糸を巻きつけたカバーリング糸の模試図であり、（Ｂ）は芯材を円周方向に９０°回転させた模試図である。
【図９】多重巻き構造のカバーリング糸の模式図である。
【図１０】本発明によるフリーデザインブリッジ型つけまつ毛の製造方法の第一工程を示す図である。
【図１１】本発明によるフリーデザインブリッジ型つけまつ毛の製造方法の第二工程を示す図である。
【図１２】本発明によるフリーデザインブリッジ型つけまつ毛の製造方法の第三工程を示す図である。
【図１３】（Ａ）（Ｂ）は本発明によるフリーデザインブリッジ型つけまつ毛の第三工程で製造された人工まつ毛の貼着位置を示す側面図である。
【図１４】本発明によるフリーデザインブリッジ型つけまつ毛の製造方法の第四工程を示す図である。
【図１５】人工まつ毛に接着剤を塗布している斜視図である。
【図１６】上まぶたの生えまつ毛を示す側面図である。
【図１７】本発明によるフリーデザインブリッジ型つけまつ毛を生えまつ毛の上に載置し、人工まつ毛を生えまつ毛に貼着したことを示す側面図である。
【図１８】人工まつ毛と生えまつ毛とフリーデザインブリッジ型つけまつ毛を貼着したことを示す側面図である。
【図１９】本発明によるフリーデザインブリッジ型つけまつ毛を生えまつ毛に載置したことを示す側面図である。
【図２０】本発明によるフリーデザインブリッジ型つけまつ毛を生えまつ毛と人工まつ毛に貼着したことを示す側面図である。
【図２１】下まぶたの生えまつ毛を保護テープで貼り付けた図を示す。
【図２２】上まぶたの生えまつ毛の第１、２、３、４、５層を示す図である。
【図２３】上まぶたの生えまつ毛に第一保護テープを貼着するステップを示す側面図である。
【図２４】上まぶたの生えまつ毛を下まぶたの生えまつ毛側に貼着するステップを示す側面図である。
【図２５】第一保護テープと第二保護テープを貼着するステップを示す正面図である。
【図２６】保護テープの両端を折り返した斜視図である。
【図２７】第三保護テープを貼着するステップを示す正面図である。
【図２８】本発明によるフリーデザインブリッジ型つけまつ毛を第三保護テープに貼着するステップを示す正面図である。
【図２９】本発明によるフリーデザインブリッジ型つけまつ毛を第三保護テープに貼着するステップを示す側面図である。
【図３０】生えまつ毛に人工まつ毛を貼着するテップを示す側面図である。
【図３１】生えまつ毛と人工まつ毛と本発明によるフリーデザインブリッジ型つけまつ毛を貼着するステップを示す側面図である。
【図３２】保護テープを全て剥がし、本発明によるフリーデザインブリッジ型つけまつ毛を装着したステップを示す側面図である。
【発明を実施するための形態】
【００４６】  以下、本発明を実施するための形態について図を参照しながら説明する。
【００４７】  図１から図３は、本発明に係るフリーデザインブリッジ型つけまつ毛の実施形態例を示す図である。図１（Ａ）は第一実施形態例、（Ｂ）は第二実施形態例を示し、図２（Ｃ）は第三実施形態例、（Ｄ）は第四実施形態例、図３は第五実施形態例を示す。図１（Ａ）（Ｂ）、図２（Ｃ）（Ｄ）は、フリーデザインブリッジ型つけまつ毛を弓型形状に形状を整えたものであり、日本人女性の平均的な目の目頭から目尻までの長さで全長Ｌ＝２０ｍｍから４０ｍｍ前後としている。
【００４８】  図１（Ａ）は、補助ベース材２ａとベース芯材３ａを平行に配列して、複数の人工まつ毛４の根元部分をベース芯材３ａの外周面に貼着させ、かつ、人工まつ毛４を補助ベース材２ａの外周面に貼着させ、人工まつ毛４は、ベース芯材３ａと補助ベース材２ａとの両方に支持させて形成したフリーデザインブリッジ型つけまつ毛１を表している。
図１（Ｂ）は、補助ベース材２ａとベース芯材（太）３ｂを平行に配列して、複数の人工まつ毛４の根元部分をベース芯材（太）３ｂの外周面に貼着させ、かつ、人工まつ毛４を補助ベース材２ａの外周面に貼着させ、人工まつ毛４は、ベース芯材（太）３ｂと補助ベース材２ａとの両方に支持させて形成したフリーデザインブリッジ型つけまつ毛１を表している。
【００４９】  図２（Ｃ）は、補助ベース材２ａとカバーリングベース芯材３ｃを平行に配列して、複数の人工まつ毛４の根元部分をカバーリングベース芯材３ｃの外周面に貼着させ、かつ、人工まつ毛４を補助ベース材２ａの外周面に貼着させ、人工まつ毛４は、カバーリングベース芯材３ｃと補助ベース材２ａとの両方に支持させて形成したフリーデザインブリッジ型つけまつ毛１を表している。
図２（Ｄ）は、カバーリング補助ベース材２ｂとカバーリングベース芯材３ｃを平行に配列して、複数の人工まつ毛４の根元部分をカバーリングベース芯材３ｃの外周面に貼着させ、かつ、人工まつ毛４をカバーリング補助ベース材２ｂの外周面に貼着させ、人工まつ毛４は、カバーリングベース芯材３ｃとカバーリング補助ベース材２ｂとの両方に支持させて形成したフリーデザインブリッジ型つけまつ毛１を表している。
【００５０】  図３の第五実施形態例は、図１（Ａ）に表されている第一実施形態例の全長Ｌが２ｍｍ以上から２０ｍｍ未満である場合を表している。部分的に使用する場合であり、図１（Ｂ）の第二実施形態例、図２（Ｃ）の第三実施形態例、図２（Ｄ）の第四実施形態例も同様に全長Ｌが２ｍｍ以上から２０ｍｍ未満で形成されても良い。
【００５１】  図１から図３の１は本発明のフリーデザインブリッジ型つけまつ毛である。
補助ベース材２ａとベース芯材３ａは、ナイロンやポリエステルなどの合成繊維、ポリウレタン弾性繊維、又は人工合成クモ糸（例えば糸の直径０．０１ｍｍ以下）で色彩が半透明、又は黒色等の糸状部材からなるものである。
【００５２】  カバーリングベース芯材３ｃは、以下に述べるように４つのタイプの例がある。
なお、図４、図６、図８、及び図９のベース芯材３ａは補助ベース材２ａ、カバーリングベース芯材３ｃはカバーリング補助ベース材２ｂと同一の材質及び構造である。
【００５３】  図４は、撚糸製造加工メーカーにおいて製造されるカバーリング糸の模式図を表している。
カバーリング加工は、撚糸加工技術において、芯糸を延伸した外周面に糸を巻きつけて加工する技術である。カバーリング加工で出来た糸をカバーリング糸と呼ぶ。
【００５４】  例１は、図４に示す構造であり、ベース芯材３ａにカバー素材５（例えば糸の直径４０μ）を一重に巻きつけて加工されている。
ベース芯材３ａを延伸した外周面にカバー素材５を一重に巻きつけてカバーリングベース芯材３ｃを形成する。巻きつける方向は時計回りか反時計回りのどちらでも良い。カバーリング加工された糸は、伸びの良いストレッチ性や網目の美観に優れている。
ベース芯材３ａは、ナイロンやポリエステルなどの合成繊維、ポリウレタン弾性繊維、又は人工合成クモ糸を使用する。カバー素材５は、ナイロンやポリエステルなどの合成繊維、絹糸、ポリウレタン弾性繊維、又は人工合成クモ糸のいずれかを使用する。
【００５５】  図６は撚糸製造加エメーカーにおいて製造される二重に巻きつけたカバーリング糸の模式図を表している。
例２は、図６に示す構造であり、ベース芯材３ａに鞘糸２１を鞘糸下巻き２１ｂと鞘糸上巻き２１ａに二重に巻きつけて加工されている。
【００５６】  図５（Ａ）は本発明に用いられる３本の単糸からなるカバー素材５を表す平面図であり、素材はナイロンやポリエステルなどの合成繊維、絹糸、ポリウレタン弾性繊維、又は人工合成クモ糸としている。
【００５７】  図５（Ｂ）は３本のカバー素材５を片撚りした例を示す平面図である。１本、又は複数のカバー素材５を引きそろえ右撚（時計回り）か左撚（反時計回り）をかけた鞘糸２１を表している。糸は撚りを加えると強度を増し、風合いが良くなり、一方向に並べて繊維を固定できるので形態安定性が向上する。太い糸を作る場合は、単糸のカバー素材５を何本も撚り合わせる。
【００５８】  カバーリングベース芯材３ｃは、ベース芯材３ａを延伸した外周面に下巻きに鞘糸下巻き２１ｂと上巻きに鞘糸上巻き２１ａを二重に巻きつけて形成する。鞘糸下巻き２１ｂと鞘糸上巻き２１ａの回転方向を反対方向に（右撚と左撚）にしてトルクが消えるようにするため、ベース芯材３ａには撚の力が入らないようにしている。このため、形態安定性が向上し、伸びの良いストレッチ性や網目の美観に優れている。ベース芯材３ａは、ナイロンやポリエステルなどの合成繊維、ポリウレタン弾性繊維、又は人工合成クモ糸を使用する。
【００５９】  図８（Ａ）は平鞘糸２２を二重に巻きつけたカバーリング糸の模式図を表している。
例３は、図８に示す構造であり、ベース芯材３ａに平鞘糸下巻き２３ｂと平鞘糸上巻き２３ａに二重に巻きつけて加工されている。
【００６０】  図７の平鞘糸２２は、本発明に用いられる４本の単糸からなるカバー素材５を平行に並べ整列させたものを示す平面図である。各々のカバー素材５は接着材で接着させても良い。カバー素材５はナイロンやポリエステルなどの合成繊維、絹糸、ポリウレタン弾性繊維、又は人工合成クモ糸としている。
【００６１】  図８（Ａ）に示すようにカバーリングベース芯材３ｃは、ベース芯材３ａを延伸した外周面に下巻きに平鞘糸下巻き２３ｂと上巻きに平鞘糸上巻き２３ａを、間隔をあけて二重に巻きつけて形成する。ベース芯材３ａは、ナイロンやポリエステルなどの合成繊維、ポリウレタン弾性繊維、又は人工合成クモ糸を使用する。
【００６２】  図８（Ｂ）はベース芯材３ａを円周方向に９０°回転させた状態の模式図を表している。このように、カバーリングベース芯材３ｃの円周方向の表面は凹凸状を形成する。
【００６３】  図９はベース芯材３ａに複数のカバー素材５を巻きつけた多重巻き構造のカバーリング糸の模式図である。
例４は、図９に示す構造であり、ベース芯材３ａにカバー素材５をＸ字状に多重に巻きつけて加工されている。
【００６４】  カバーリングベース芯材３ｃは、ベース芯材３ａを延伸した外周面にカバー素材５をベース芯材３ａの外周面を覆うように間隔をあけながら、時計回り（又は反時計回り）に下巻きと、反時計回り（又は時計回り）に上巻きに、時計回りと反時計回りの巻き方を交互にＸ字状に複数巻きつけて多重巻き構造を形成する。図９は時計回りと反時計回りの巻き数の合計が４本になるものを表している。時計回りと反時計回りの巻き数は、同数が望ましい。
ベース芯材３ａは、ナイロンやポリエステルなどの合成繊維、ポリウレタン弾性繊維、又は人工合成クモ糸を使用する。カバー素材５は、ナイロンやポリエステルなどの合成繊維、絹糸、ポリウレタン弾性繊維、又は人工合成クモ糸のいずれかを使用する。
【００６５】  カバーリングベース芯材３ｃは、カバーリング糸を使用するので、伸びの良いストレッチ性、ソフトな肌触り、網目の美観の特徴が顕著である。
また、表面が凹凸状であるため接着剤との相性が良く、人工まつ毛を強固に貼着させることが可能になる。
【００６６】  ポリウレタン弾性繊維（例えばスパンデックス）は、糸の伸縮性に優れ、ゴムより軽く、ストレッチ効果のある繊維である。スパンデックスは、伸縮性がきわめて大きく、５倍以上に伸びるゴムのような弾性をもつ繊維であり、しなやかな伸びと回復性に優れている。
【００６７】  人工合成クモ糸（例えば「ＱＭＯＮＯＳ（登録商標）」）は、ナイロンを上回る強靭性と伸縮性を持ち、着色も自在である。
【００６８】  ベース芯材（太）３ｂは前述のベース芯材３ａと同一材料であり、糸の直径が約０．１ｍｍ以下とするものである。糸の直径は０．１ｍｍ以下に限定するものではないが、０．２ｍｍ以下であることが望ましい。
なお、ベース芯材（太）３ｂに、前述の４つの例のようにカバーリング加工を施し、カバーリングベース芯材３ｃを形成することも可能である。
【００６９】  図１から図３の人工まつ毛４はナイロン素材であり、長さは４ｍｍ位から１２ｍｍ位に形成されている。また、ナイロン素材に限らず人毛であっても良い。人毛は生えまつ毛と一緒に仕上がり、マスカラにもなじみやすい。さらに、貼着をしっかりしていれば、まつ毛パーマもできる。
【００７０】  ＜製造工程＞
本発明によるフリーデザインブリッジ型つけまつ毛１は、次の工程により製造される。
【００７１】  図１０は、本発明によるフリーデザインブリッジ型つけまつ毛１において、図２（Ｃ）の第三実施形態例の製造方法の第一工程を示す図である。
なお、図１（Ａ）の第一実施形態例、（Ｂ）の第二実施形態例、図２（Ｄ）の第四実施形態例も以下同様な製造工程である。図３の第五実施形態例は前述の第一から第四実施形態例の全長Ｌの長さを２ｍｍ以上２０ｍｍ未満に切断したものである。
【００７２】  図２（Ｃ）の第三実施例を製造する場合、作業台６の中央に長尺状の補助ベース材２ａと長尺状のカバーリングベース芯材３ｃを平行に配列する。補助ベース材２ａとカバーリングベース芯材３ｃの間隔Ｗは２ｍｍ位〜３ｍｍ位が望ましい。補助ベース材２ａとカバーリングベース芯材３ｃの両端を作業台６の両端上部に挟み引張力Ｔにより張力がかかった状態で直線状に掛け渡してなるように空中に張架される。
【００７３】  図１１は、本発明によるフリーデザインブリッジ型つけまつ毛１の製造方法の第二工程を示す図である。
【００７４】  ピンセット７で人工まつ毛４を把持し、人工まつ毛４の根本に長さ２ｍｍ位〜３ｍｍ位の部分に製造用接着剤８を浸す程度に供給する。製造用接着剤８を浸す長さは、補助ベース材２ａとカバーリングベース芯材３ｃの間隔Ｗの２ｍｍ位〜３ｍｍ位である。
【００７５】  図１２は、本発明によるフリーデザインブリッジ型つけまつ毛１の製造方法の第三工程を示す図である。
【００７６】  カバーリングベース芯材３ｃの外周面に人工まつ毛４の根本が、ほぼ垂直に重なるように配置し、かつ、補助ベース材２ａの外周面に重ね、人工まつ毛４と補助ベース材２ａとカバーリングベース芯材３ｃを貼着させる。
【００７７】  さらに、人工まつ毛４と補助ベース材２ａの接点Ｃ、およびカバーリングベース芯材３ｃの接点Ｃに注射器９で製造用接着剤８を浸す程度に供給する。多すぎると製造用接着剤８が流れ、硬化時に美観を損なうので液だれしないようにつけすぎに注意する。
【００７８】  図１３（Ａ）（Ｂ）は、本発明によるフリーデザインブリッジ型つけまつ毛１の第三工程で製造された人工まつ毛４の貼着位置を示す側面図である。
【００７９】  図１３（Ａ）は、人工まつ毛４を補助ベース材２ａとカバーリングベース芯材３ｃの外周面の上部に配置して形成されたフリーデザインブリッジ型つけまつ毛１（Ａタイプ）１ａの側面図である。
図１３（Ｂ）は、人工まつ毛４を補助ベース材２ａとカバーリングベース芯材３ｃの外周面の下部に配置して形成されたフリーデザインブリッジ型つけまつ毛（Ｂタイプ）１ｂの側面図である。
【００８０】  この様に製造方法の第三工程では、複数の人工まつ毛４は、補助ベース材２ａとカバーリングベース芯材３ｃの両方に支持させて貼着して形成される。
【００８１】  図１４は、本発明によるフリーデザインブリッジ型つけまつ毛１の製造方法の第四工程を示す図である。
【００８２】  フリーデザインブリッジ型つけまつ毛１の全長Ｌは、直線状で約２０ｍｍから約４０ｍｍに切断し、製造用接着剤８を約１５分かけて自然乾燥で硬化させる。なお、全長Ｌは施術を受ける者に合わせて図３に表すように適宜長さを調整して切断しても良い。
【００８３】  ＜つけまつ毛の装着方法＞
本発明によるフリーデザインブリッジ型つけまつ毛１は、次のステップにより生えまつ毛に装着される。
【００８４】  図１５は、人工まつ毛に接着剤を塗布している斜視図である。ピンセット７で人工まつ毛４を把持し、人工まつ毛４の根本の長さ約５ｍｍの部分に施術用接着剤１９を浸す程度に供給する。多すぎると施術用接着剤１９が流れ施術を受ける者に悪影響を及ぼし、硬化時は美観を損なうので液だれしないようにつけすぎに注意する。なお、人工まつ毛４はフリーデザインブリッジ型つけまつ毛１に貼着する本数分準備する。
【００８５】  施術用接着剤１９は、シアノアクリレート系接着剤を使用するが、硬化中に放出される微量のホルムアルデヒドは粘膜への刺激性がある。アレルギーを持っている者は、呼吸器・目・のどの炎症を誘発し、まぶたの皮膚のかぶれ、赤味、結膜の充血などのトラブルを引き起こす場合があるので、施術用の接着剤の使用量は極力低減させる必要がある。
【００８６】  図１６は、上まぶたの上層と下層の生えまつ毛２４を示す側面図である。
【００８７】  図１７は、本発明によるフリーデザインブリッジ型つけまつ毛１ａを生えまつ毛２４の上に載置し、人工まつ毛４を生えまつ毛２４に接着したことを示す側面図である。第一にフリーデザインブリッジ型つけまつ毛１ａを下層の生えまつ毛２４に載置し、第二に施術用接着剤１９を塗布した人工まつ毛４を上層の生えまつ毛２４に貼着させる。
【００８８】  図１８は、人工まつ毛４と生えまつ毛２４とフリーデザインブリッジ型つけまつ毛１ａを貼着したことを示す側面図である。上層の生えまつ毛２４に貼着させた人工まつ毛４の施術用接着剤１９が硬化する前に、下層の生えまつ毛２４に載置したフリーデザインブリッジ型つけまつ毛１ａを下から人工まつ毛４と貼着させる。
【００８９】  この装着方法は、生えまつ毛２４を裏返さないで行うため、粘着テープを貼らずに装着でき施術時間短縮が図れ、貼着させながらフリーデザインブリッジ型つけまつ毛１ａを湾曲させることが可能であるため、細やかな装着場所や湾曲の形状を微調整できる。また、任意の生えまつ毛２４に装着できるので、生えまつ毛２４の耐久性や仕上がりの美感を調整できる。
【００９０】  生えまつ毛２４を裏返さない他の実施例の装着方法を説明する。
【００９１】  図１９は、フリーデザインブリッジ型つけまつ毛１ａを生えまつ毛２４の上に載置したことを示す側面図である。
【００９２】  図２０は、フリーデザインブリッジ型つけまつ毛１ａを生えまつ毛２４と人工まつ毛に貼着したことを示す側面図である。人工まつ毛４の外周面に接着剤を塗布したものをフリーデザインブリッジ型つけまつ毛１ａの上に載置し、人工まつ毛４とフリーデザインブリッジ型つけまつ毛１ａと生えまつ毛２４を重ね合わせて貼着する。人工まつ毛４に塗布した施術用接着剤１９が硬化する前に、生えまつ毛２４に載置したフリーデザインブリッジ型つけまつ毛１ａの上から人工まつ毛４を貼着させる。
【００９３】  図２１は、下まぶたの生えまつ毛を保護テープで貼り付けた図を示す。保護テープ１０の一端部を手に持って、下まぶたの生えまつ毛を下まぶた１３の上に貼り付け、フリーデザインブリッジ型つけまつ毛１を上まぶたの生えまつ毛に装着する準備を行う。図２１は、左目を表わしているが、右目も同様な作業を行う。
【００９４】  図２２は、上まぶたの生えまつ毛の第１、２、３、４、５層を示す図である。下まぶた１３側から生えまつ毛第１層１４、生えまつ毛第２層１５、生えまつ毛第３層１６、生えまつ毛第４層１７、生えまつ毛第５層１８、を表している。一般的に上まぶたの生えまつ毛は４層から５層で構成されている。
【００９５】  図２３は、上まぶたの生えまつ毛に第一保護テープ１０ａを貼着するステップを示す側面図である。
【００９６】  第一保護テープ１０ａを利用して、上まぶた１２の生えまつ毛第１層１４から生えまつ毛第５層１８の全てを折り返して上まぶた１２の上に貼り付ける。
【００９７】  図２４は、上まぶたの生えまつ毛を下まぶたの生えまつ毛側に貼着するステップを示す側面図である。
【００９８】  上まぶた１２の上に貼り付けられた生えまつ毛第１層１４を、ピンセット７を利用して全て引き出し、第二保護テープ１０ｂの一端部を手に持って、生えまつ毛第１層１４を下まぶた１３の上に貼り付ける。
【００９９】  さらに、上まぶた１２の上に貼り付けられた生えまつ毛第２層１５を、ピンセット７を利用して数本引き出す。なお、図２４ではフリーデザインブリッジ型つけまつ毛１を生えまつ毛第２層１５に装着する実施例を示しているが、施術を受ける者の希望により他の生えまつ毛の層に装着することもできる。
【０１００】  図２５は、第一保護テープ１０ａと第二保護テープ１０ｂを貼着するステップを示す正面図である。図２５は、左目を表わしているが、右目も同様な作業を行う。
【０１０１】  図２６は、第三保護テープ１０ｃの両端を折り返した斜視図である。両端を折り返す部分は１０ｍｍ程度で良く、中央の上面が粘着面になるように準備する。
【０１０２】  図２７は、第三保護テープ１０ｃを貼着するステップを示す正面図である。上まぶたに貼られている生えまつ毛第３層から第５層の保護テープの表面上に、第三保護テープ１０ｃの両端を折り返した両端の粘着面を貼り付ける。
【０１０３】  図２８は、本発明によるフリーデザインブリッジ型つけまつ毛を第三保護テープ１０ｃに貼着するステップを示す正面図である。フリーデザインブリッジ型つけまつ毛１を裏返し弓型に形状を整え、両端が折り返された第三保護テープ１０ｃの中央粘着部に貼り付ける。図２８は、左目を表わしているが、右目も同様な作業を行う。
【０１０４】  図２９は、本発明によるフリーデザインブリッジ型つけまつ毛１を第三保護テープ１０ｃに貼着するステップを示す側面図である。
【０１０５】  次に図１４で表すのと同様に人工まつ毛４に施術用接着剤１９を塗布する。ピンセット７で人工まつ毛４を把持し、人工まつ毛４の根本の長さ約５ｍｍの部分に施術用接着剤１９を浸す程度に供給する。なお、人工まつ毛４は引き出された生えまつ毛第２層１５の本数分準備する。
【０１０６】  施術用接着剤１９は、シアノアクリレート系接着剤を使用するが、硬化中に放出される微量のホルムアルデヒドは粘膜への刺激性があるため、施術用の接着剤の使用量は極力低減させる必要がある。
【０１０７】  図３０は、生えまつ毛第２層１５に人工まつ毛４を貼着するステップを示す側面図である。施術用接着剤１９が塗布された人工まつ毛４を生えまつ毛第２層１５の上面に貼着させる。
【０１０８】  図３１は、生えまつ毛と人工まつ毛と本発明によるフリーデザインブリッジ型つけまつ毛を貼着するステップを示す側面図である。施術用接着剤１９が硬化する前に生えまつ毛第２層１５と人工まつ毛４を上まぶた１２側に傾倒し当接させてフリーデザインブリッジ型つけまつ毛１の下面側と貼着させる。
【０１０９】  図３２は、保護テープを全て剥がし、本発明によるフリーデザインブリッジ型つけまつ毛１を装着したステップを示す側面図である。人工まつ毛４、生えまつ毛第２層１５、フリーデザインブリッジ型つけまつ毛１を貼着させる際に使用した施術用接着剤１９が硬化した後、上まぶた１２と下まぶた１３に貼り付けた第一保護テープ１０ａと第二保護テープ１０ｂと第三保護テープ１０ｃの全て剥がし、フリーデザインブリッジ型つけまつ毛１の装着は完了する。
【産業上の利用可能性】
【０１１０】  役者のみならず、アイライン効果を望む人など一般人が広く使用することができ、ポリウレタン弾性繊維及び人工合成クモ糸は耐水機能を有するので水泳も可能なつけまつ毛として活用できる。
加齢や病中・病後の生えまつげが少ない方など、従来のまつげエクステンションや粘着テープで貼り付けるタイプのつけまつ毛では対応できなかった顧客層でも使用可能である。【０１１１】  従来のブリッジ型つけまつ毛（特許文献３参照）に比べて工業的に安価で量産することが可能で、フリーデザインブリッジ型つけまつ毛の全体の長さや人工まつ毛の長さや本数を変更すれば、下まぶた用としても使用することができる。【０１１２】  本発明によるフリーデザインブリッジ型つけまつ毛は、生えまつ毛第２層に装着する場合が最も美観に優れているが、施術を受ける者の生えまつ毛の状態を考慮すれば、他の生えまつ毛の層に装着することもでき、デザイン性の自由度が高い。【０１１３】  施術者の熟練を要しない為、美容室や従来のまつげサロンなど既存の店舗で容易に展開することが期待できる。【０１１４】  また、ナイロン製の人工まつ毛を人工合成クモ糸で製造可能であれば、本発明のフリーデザインブリッジ型つけまつ毛の素材の全てを人工合成クモ糸で制作することができるので、従来品に比較し強靭性、伸縮性、及び耐熱性を持つつけまつ毛を提供することができる。
【符号の説明】
【０１１５】１      フリーデザインブリッジ型つけまつ毛
１ａ    フリーデザインブリッジ型つけまつ毛（Ａタイプ）
１ｂ    フリーデザインブリッジ型つけまつ毛（Ｂタイプ）
２ａ    補助ベース材
２ｂ    カバーリング補助ベース材
３ａ    ベース芯材
３ｂ    ベース芯材（太）
３ｃ    カバーリングベース芯材
４      人工まつ毛
５      カバー素材
６      作業台
７      ピンセット
８      製造用接着剤
９      注射器
１０    保護テープ
１０ａ  第一保護テープ
１０ｂ  第二保護テープ
１０ｃ  第三保護テープ
１１    眼球
１２    上まぶた
１３    下まぶた
１４    生えまつ毛第１層
１５    生えまつ毛第２層
１６    生えまつ毛第３層
１７    生えまつ毛第４層
１８    生えまつ毛第５層
１９    施術用接着剤
２１    鞘糸
２１ａ  鞘糸上巻き
２１ｂ  鞘糸下巻き
２２    平鞘糸
２３ａ  平鞘糸上巻き
２３ｂ  平鞘糸下巻き
２４    生えまつ毛
Ｌ      全長
Ｗ      間隔
Ｔ      引張力
Ｃ      接点
【図１】
0006045120.tif 000002
【図２】
0006045120.tif 000003
【図３】
0006045120.tif 000004
【図４】
0006045120.tif 000005
【図５】
0006045120.tif 000006
【図６】
0006045120.tif 000007
【図７】
0006045120.tif 000008
【図８】
0006045120.tif 000009
【図９】
0006045120.tif 000010
【図１０】
0006045120.tif 000011
【図１１】
0006045120.tif 000012
【図１２】
0006045120.tif 000013
【図１３】
0006045120.tif 000014
【図１４】
0006045120.tif 000015
【図１５】
0006045120.tif 000016
【図１６】
0006045120.tif 000017
【図１７】
0006045120.tif 000018
【図１８】
0006045120.tif 000019
【図１９】
0006045120.tif 000020
【図２０】
0006045120.tif 000021
【図２１】
0006045120.tif 000022
【図２２】
0006045120.tif 000023
【図２３】
0006045120.tif 000024
【図２４】
0006045120.tif 000025
【図２５】
0006045120.tif 000026
【図２６】
0006045120.tif 000027
【図２７】
0006045120.tif 000028
【図２８】
0006045120.tif 000029
【図２９】
0006045120.tif 000030
【図３０】
0006045120.tif 000031
【図３１】
0006045120.tif 000032
【図３２】
0006045120.tif 000033